(57)【要約】【課題】  複数の原稿を１枚の出力用紙に集約して複写するに当たり、原稿に異なる系列、サイズの原稿が混在していても各画像データが適正な大きさで出力用紙に集約されて複写することができる複写装置を提供する。【解決手段】  原稿のサイズと向きを検出する検出部１１２、１１３を有するスキャナ１１と、出力用紙のサイズと原稿枚数に基づいて出力用紙上のレイアウトを決定するレイアウト処理部１７と、演算回路１２１と向きデータ算出回路１２２を有する画像データ処理部１２とを備え、スキャナで読取った画像データ毎に独立に、レイアウト処理部で決定したレイアウトと原稿サイズ、原稿の向きに基づいて、該画像データの変換倍率を演算回路で計算して処理し、変換倍率で処理された画像データを向きデータ算出部が算出した回転角度・回転方向に従って回転させて出力用紙に集約複写する。【選択図】    図２
2005244899.tif 000002
【特許請求の範囲】
【請求項１】
出力用紙の系列およびサイズを設定するとともに、当該出力用紙に複写する原稿枚数を指定して複数枚の原稿の画像データを集約して前記出力用紙に複写する集約複写機能を有する複写装置であって、
前記複写装置は、複写部と、
前記出力用紙の系列およびサイズと、該出力用紙に複写する原稿枚数に基づいて出力用紙上のレイアウトを決定するレイアウト処理部と、
原稿読取り部と、原稿のサイズを検出する原稿サイズ検出部と、原稿の向きを検出する原稿向き検出部を有するスキャナと、
前記スキャナで読取った画像データを処理する画像データ処理部とから構成され、
前記画像データ処理部は、前記レイアウト処理部で決定したレイアウトと、原稿サイズ検出部で検出した原稿サイズに基づいて、前記スキャナで読取った画像データを原稿毎に変換倍率を決定して変換処理する画像データ処理手段と、前記レイアウト処理部で決定したレイアウトと、前記原稿向き検出部で検出した原稿の向きに基づいて、画像データ変換処理手段で変換された画像データの回転方向と回転角度を算出する向きデータ算出手段とを備え、
前記画像データ処理手段によって大きさが変換された画像データを前記向きデータ算出手段により算定された算出結果に基づき向きを変えて前記出力用紙の所定領域に対応する記憶領域に記憶し、該記憶された画像データを読出して前記複写部で複写するようになしたことを特徴とする複写装置。
【請求項２】
所望の系列から選択された１枚の出力用紙に複数枚の原稿の画像データを集約して複写部により複写する集約複写方法において、
設定された出力用紙の系列およびサイズと、該出力用紙に複写する原稿の枚数に基づいて、出力用紙上のレイアウトを決定する段階と、
スキャナで読取った原稿のサイズと向きを検出する段階と、
前記出力用紙上のレイアウトと原稿のサイズに基づいて変換倍率を算出し、スキャナで読取って得た画像データ該変換倍率で変換処理する段階と、
前記出力用紙上のレイアウトと原稿の向きに基づいて前記夫々の画像データの回転方向と回転角度を算出する段階と、
前記変換倍率で大きさが変換された画像データを前記回転方向と回転角度に従って回転させて記憶部の記憶領域に記憶する段階と、
前記各記憶領域に記憶された画像データを読出して複写する段階とからなることを特徴とする集約複写方法。
【発明の詳細な説明】
【技術分野】
【０００１】
本発明は、複数枚の原稿の画像を画像データとして読取り、１枚の所望サイズの出力用紙に集約して複写する集約複写機能を有する複写装置および集約複写方法に関し、特に、系列やサイズの異なる原稿が混在しても、複写する原稿の枚数に応じて出力用紙上のレイアウトを決定し、このレイアウトに基づいて個々の原稿サイズから個別の拡大または縮小の変換倍率を算出し、画像の回転が必要な場合には回転方向と回転角度を算出して複写するようにした集約複写機能を有する複写装置および集約複写方法に関するものである。
【背景技術】
【０００２】
従来から、複数枚の原稿を１枚の出力用紙に集約して複写する集約複写機能を有する複写装置が提供されている。このような複写装置は、例えば、下記の特許文献１に開示されている。この複写装置は、原稿を原稿台へ給送する原稿給送手段と、前記原稿給送手段により給送された原稿の画像を読取る読取手段と、前記読取手段からの画像を縮小する縮小手段と、前記縮小手段からの複数の画像を所定領域に記憶する記憶手段と、原稿の画像の向きの情報を入力する入力手段と、前記入力手段からの向きの情報に応じて前記記憶手段に画像を記憶させる領域を変える制御手段と、前記記憶手段に記憶された複数の画像を１つのシートに記録する記録手段とを具備したものである。
【０００３】
この複写装置における集約複写は、次のように行われる。一例として、サイズＡ４の原稿が２枚と、サイズＡ３の用紙１枚にサイズＡ４の原稿２枚がまとめられた合計で３枚の原稿からなる場合、サイズＡ３の原稿を分割して４ＩＮ１として１枚のＡ４の出力用紙に複写する場合がある。まず、ユーザは操作部で出力用紙サイズＡ４をセットする。原稿給紙装置はセットされた原稿の枚数３枚をカウントし、リーダは原稿給紙装置に給紙された原稿のエッジを読取り、原稿の大きさがコントロールユニット内のＣＰＵによって検出される。１枚目から３枚目の原稿サイズがそれぞれＡ４、Ａ４、Ａ３であると検出され、その原稿サイズは、それぞれの原稿の順番に対応づけてＲＡＭに記憶される。この原稿サイズの検出はセットされた全ての原稿に対して行なう。また、それらの原稿は再び原稿セット位置に戻される。また、原稿サイズの情報は読取り領域として出力される。
【０００４】
続いて、ＣＰＵによってＲＡＭに記憶された原稿枚数及び原稿サイズにより1枚の用紙上に記録する複数の原稿画像のレイアウトが決定される。決定されたレイアウトはＲＡＭに記憶される。Ａ３原稿はユーザにより2分割するレイアウトの選択がなされる。次に、原稿給紙装置にセットされた原稿を給紙し、１枚目の原稿をプラテン上にセットする。次に、画像メモリ上に１枚目の原稿を格納するための座標アドレスセットする。次に、縮小倍率５０％をセットし、回転方向０°をセットし、原稿をスキャンして画像メモリに１枚目の原稿を格納する。続いて、２枚目の原稿をプラテン上にセットする。
【０００５】
次に、画像メモリ上に２枚目の原稿を格納するためのアドレスセットする。次に、縮小倍率５０％をセットし、回転方向０°をセットし、原稿をスキャンして画像メモリに２枚目の原稿を格納する。続いて、原稿給紙装置により３枚目の原稿をプラテン上にセットする。次に、画像メモリ上に３枚目の原稿を格納するための座標アドレスセットする。次に、縮小倍率５０％をセットし、回転方向０°をセットし、原稿をスキャンして画像メモリに３枚目の原稿を格納する。最後に、画像メモリに格納された３枚の原稿画像をプリンタによってＡ４サイズの出力用紙にプリントアウトし、複写を終了する。
【０００６】
また、複数枚の原稿を１枚の出力用紙に集約して複写する他の複写装置としては、特許文献２に開示された複写装置もある。特許文献２に開示された複写装置は、転写紙と原稿の方向が異なる場合の「サイズ／方向確認表示」で「画像回転」キーを選択すると、転写紙Ａ４横、原稿Ａ４縦の場合、原稿読込時に原稿画像をＡ４横に９０度回転してメモリ上に展開することで転写紙、原稿の方向を自動的に合わせる。また、転写紙と原稿とフォーマット画像のサイズ及び方向が異なる場合に「自動  変倍＋回転」キーを選択すると、例えば、転写紙Ａ４横、原稿Ａ５縦、フォーマット画像Ａ３の場合、原稿読込時にＡ４縦に拡大し、Ａ４横に９０度回転する。同時に、合成画像作成時フォーマット画像を合成メモリ上でＡ４縦に縮小し、Ａ４横に９０度回転することによって転写紙、原稿、フォーマット画像のサイズ及び方向を自動的に合わせるようにしたものである。
【０００７】
すなわち、この複写装置は、画像メモリ機能を利用して、複数毎の原稿画像を画像メモリの転写紙一枚分の4等分されたエリアに順次書込む事によって、4枚の原稿画像が一枚の転写紙イメージに合成され集約されてコピー出力を得ることが可能になるものである。また、転写紙と原稿のサイズが異なっている場合、転写紙、原稿のサイズ及び方向を自動的に合わせる。例えば、転写紙がＡ４横、原稿がＡ３縦だった場合、原稿の読込み時にＡ３縦からＡ４縦に縮小する倍率にし、さらにＡ４縦からＡ４横に９０度回転することによって転写紙、原稿のサイズ及び方向を自動的に合わせるように構成されている。
【０００８】
【特許文献１】特開平６−３１９０３６号公報（段落〔０１１４〕〜段落〔０１３３〕、図２３、図２４）
【特許文献２】特許平９−２８４５４５号公報（段落〔００１８〕、段落〔００４０〕）
【発明の開示】
【発明が解決しようとする課題】
【０００９】
しかしながら、前述の特許文献に開示された従来の複写装置は、すべての原稿が共通の系列である場合に適用されるものである。すなわち、原稿が同一系列のものであって、変換する倍率が等しかった。ところが、原稿が異なる系列のものを集約して複写することがあるが、この場合、すべての原稿が等しい変換倍率であると画像の一部が欠けたり、反対に余白部分が大きくなり過ぎたりして適正な複写がなされないという問題点があった。
そこで、本発明は、従来の問題点を排除し、異なる系列、異なるサイズの原稿が混在している場合であっても、個々の原稿ごとに適正な大きさに拡縮し、複数枚の原稿を集約して複写することができる複写装置および集約複写方法を提供することを目的とする。
【課題を解決するための手段】
【００１０】
前記課題を解決するために、本願の請求項１に係る発明は、出力用紙の系列およびサイズを設定するとともに、当該出力用紙に複写する原稿枚数を指定して複数枚の原稿の画像データを集約して前記出力用紙に複写する集約複写機能を有する複写装置であって、
前記複写装置は、複写部と、
前記出力用紙の系列およびサイズと、該出力用紙に複写する原稿枚数に基づいて出力用紙上のレイアウトを決定するレイアウト処理部と、
原稿読取り部と、原稿のサイズを検出する原稿サイズ検出部と、原稿の向きを検出する原稿向き検出部を有するスキャナと、
前記スキャナで読取った画像データを処理する画像データ処理部とから構成され、
前記画像データ処理部は、前記レイアウト処理部で決定したレイアウトと、原稿サイズ検出部で検出した原稿サイズに基づいて、前記スキャナで読取った画像データを原稿毎に変換倍率を決定して変換処理する画像データ処理手段と、前記レイアウト処理部で決定したレイアウトと、前記原稿向き検出部で検出した原稿の向きに基づいて、画像データ変換処理手段で変換された画像データの回転方向と回転角度を算出する向きデータ算出手段とを備え、
前記画像データ処理手段によって大きさが変換された画像データを前記向きデータ算出手段により算定された算出結果に基づき向きを変えて前記出力用紙の所定領域に対応する記憶領域に記憶し、該記憶された画像データを読出して前記複写部で複写するようになしたことを特徴とする。
【００１１】
また、本願の請求項２に係る発明は、出力用紙の系列およびサイズを設定するとともに、当該出力用紙に複写する原稿枚数を指定して複数枚の原稿の画像データを集約して前記出力用紙に複写する集約複写方法であって、
設定された出力用紙の系列およびサイズと、該出力用紙に複写する原稿の枚数に基づいて、出力用紙上のレイアウトを決定する段階と、
スキャナで読取った原稿のサイズと向きを検出する段階と、
前記出力用紙上のレイアウトと原稿のサイズに基づいて変換倍率を算出し、スキャナで読取って得た画像データ該変換倍率で変換処理する段階と、
前記出力用紙上のレイアウトと原稿の向きに基づいて前記夫々の画像データの回転方向と回転角度を算出する段階と、
前記変換倍率で大きさが変換された画像データを前記回転方向と回転角度に従って回転させて記憶部の記憶領域に記憶する段階と、
前記各記憶領域に記憶された画像データを読出して複写する段階とからなることを特徴とする。
【発明の効果】
【００１２】
本願発明は上記の構成を備えることにより以下のような優れた効果を奏する。すなわち、本願の請求項１に係る複写装置においては、所望の系列から選択された１枚の出力用紙に集約して複写する原稿は、夫々独立に画像データが画像データ処理手段によりレイアウトにおいて適正な大きさとなる倍率で変換され、向きデータ算出設定手段により所定の向きに設定され、記憶手段において出力用紙のレイアウトに対応する領域に記憶される。そのため、系列を異にしてサイズが異なる原稿が混在していても、原稿毎に適正な変換倍率で複写することができるので、余白の少ない適正な状態で出力用紙に複写できる複写装置を提供できる。
【００１３】
また、本願の請求項2に係る集約複写方法においては、所望の系列から選択された１枚の出力用紙に集約して複写する原稿は、夫々独立に画像データがレイアウトにおいて適正な大きさとなる倍率で変換され、所定の向きに設定される。そして、記憶部の出力用紙のレイアウトに対応する領域に記憶される。この記憶によってレイアウト通りの画像データが完成され、その後に、記憶部より読出されて複写部において出力用紙に複写される。そのため、系列を異にしてサイズが異なる原稿が混在していても、原稿毎に適正な変換倍率で複写することができるので、余白の少ない適正な状態で出力用紙に複写できる集約複写方法を提供できる。
【発明を実施するための最良の形態】
【００１４】
本発明を実施するための最良の実施形態を、以下の実施例に基づいて図面を参照して説明する。図１は本発明の実施例における複写装置のブロック図、図２は図1における集約複写装置の要部の詳細を示すブロック図、図３は本発明の実施例における出力用紙上のレイアウトと原稿の関係を示す模式図、図４は本発明の実施例における動作手順を示すフローチャートである。
【実施例】
【００１５】
図１において、複写装置１０が示されているが、この複写装置１０は、原稿から光学的に画像を読取って画像データを得るスキャナ１１と、スキャナ１１で得られた画像データを縮小し且つ原稿の向きを検知して所定の向きに処理する画像データ処理部１２と、画像データ処理部１２で処理された画像データを記憶する記憶部１３と、記憶部１３で記憶された画像データを読み出して出力用紙に複写する複写部１４と、操作部１５と、レイアウト処理部１７とから構成される。これらスキャナ１１、画像データ処理部１２、記憶部１３、操作部１５、レイアウト処理部１７は、シリアルＩ／Ｏ１６により接続されている。
【００１６】
操作部１５は、集約複写のために２ＩＮ１、４ＩＮ１等の集約複写すべき原稿枚数を選択的に設定するものであり、２ＩＮ１は２枚の原稿を１枚の出力用紙に集約複写する設定、４ＩＮ１は１枚の出力用紙に４枚の原稿を集約複写する設定である。また出力用紙の系列（Ａ系列、Ｂ系列等の用紙系列）およびサイズもこの操作部１５に表示されるタッチボタン等を操作することによって設定される。スタート／ストップ等の操作を行なうための操作ボタンも同様に操作部１５に表示される。操作部１５の設定により、出力用紙の系列、サイズと該出力用紙に複写する原稿の枚数が設定されると、レイアウト処理部１７により出力用紙上のレイアウトが決定される。
【００１７】
図３は４ＩＮ１が設定された場合にレイアウト処理部１７によって決定される出力用紙上のレイアウトを示す模式図である。２枚のＡ４サイズの原稿３１、３２と２枚のＢ５サイズの原稿３３、３４を１枚のＡ３サイズの出力用紙２０に集約複写する場合、出力用紙２０上のレイアウトは、出力用紙２０を４つに分割した領域となり、それぞれの領域２１〜２４に原稿３１〜３４の画像データが縮小されて複写される。
【００１８】
図３に示すようにして決定されたレイアウトに基づいてスキャナ１１で読取られた複写原稿３１〜３４の画像データの処理は、画像データ処理部１２により行われる。図２は図1における集約複写装置１０の要部の詳細を示すブロック図である。スキャナ１１は原稿読取り部１１１と原稿サイズ検出部１１２と原稿向き検出部１１３とを備えており、画像データ処理部１２は演算回路１２１と向きデータ算出回路１２２とを備えている。複写対象の原稿はスキャナ１１の原稿読取り部１１１で読取られ画像データ処理装置１２に送られるが、原稿の読取り時に、原稿サイズ検出部１１２で原稿のサイズが検出され、原稿向き検出部１１３で原稿の向きが検出される。そしてこれらの検出部で検出された原稿サイズと原稿の向きのデータも画像データ処理部１２に送られる。
【００１９】
画像データ処理部１２は、スキャナ１１から送られた読取り画像データ、原稿サイズ、原稿の向きのデータを受取ると、演算回路１２１は、レイアウト処理部１７で決定されたレイアウトと原稿サイズに基づいて、画像データの拡縮倍率を算出して画像データを拡大または縮小する。向きデータ算出回路１２２は、レイアウト処理部１７で決定されたレイアウトと原稿の向きのデータに基づいて、画像データを回転する必要があるか否かを判断して回転が必要な場合は、画像データの回転の向きと回転角度を算出する。
【００２０】
すなわち、演算回路１２１は、例えば、図３に示すように出力用紙２０のサイズをＡ３とし４ＩＮ１を選択したときには、サイズＡ４の原稿３１、３２から読み取った画像データはＡ４からＡ５への縮小倍率を算出し、サイズＢ５の原稿３３、３４から読み取った画像データはＢ５からＡ５への縮小倍率を算出し、これらの縮小倍率で夫々の画像データを取得して記憶部１３に送出するようになっている。
【００２１】
このようにして拡縮された、画像データは向きデータ算出回路１２２において算出された算出結果に基づいて９０度回転されて記憶部１３に送出される。記憶部１３においては、画像データ処理部１２によって処理された原稿３１の画像データが、4等分されたレイアウトの領域２１に対応するメモリ上に記憶される。また、画像データ処理部１２によって処理された原稿３２の画像データはレイアウトの領域２２に対応する記憶部１３のメモリ上に記憶される。
【００２２】
また、画像データ処理部１２によって処理された原稿３３の画像データはレイアウトの領域２３に対応する記憶部１３のメモリ上に記憶される。また、画像データ処理部１２によって処理された原稿３４の画像データはレイアウトの領域２４に対応する記憶部１３のメモリ上に記憶されるようになっている。
【００２３】
次に、上述した構成による複写装置１０による集約複写の動作手順を図４に示すフローチャートによって説明する。集約複写の実行にあたっては、先ず、ユーザがステップＳ１において操作部１５を操作して２ＩＮ１、４ＩＮ１……等のレイアウト選択ボタンから、例えば４ＩＮ１を選択し設定する。次に、ステップＳ２において、ユーザは同じく操作部１５の操作により、例えばサイズＡ３の出力用紙２０を選択する。
【００２４】
これらの選択設定されたデータはレイアウト処理部１７に送られ、ステップＳ３でレイアウト処理部１７は出力用紙サイズと該出力用紙に複写する原稿枚数に従ってレイアウトを決定する。例えば、４ＩＮ１が選択され、出力用紙サイズがＡ３であると、図３で説明したように、出力用紙を４分割して各原稿の画像データを複写する領域を決定する。
【００２５】
この後、スキャナ１１で原稿の読取りを開始する。原稿はオートフィードでも手差しでもよく、オートフィードの場合は出力用紙１枚に複写される原稿枚数の単位で複写処理が行われる。以下は、手差しによる原稿読取りを例にした説明である。ステップＳ４で原稿（ｎ枚目）をスキャナ１１にセットして原稿読取り部１１１で原稿を読取り画像データを得る。この時、同時に原稿サイズ検出部１１２で原稿のサイズが検出され、原稿向き検出部１１３で原稿の向きが検出される。そしてこれらのデータは画像データ処理部１２に送られる。
【００２６】
例えば、図３で説明した４ＩＮ１の場合、ステップＳ４において１枚目のサイズＡ４の原稿３１をスキャナ１１で読取るためにセットすると、原稿３１のサイズＡ４が検出されて画像データ処理部１２に送出される。そして、ステップＳ５で示すように、レイアウト処理部１７で決定したレイアウトと原稿３１のサイズに基づいて、演算回路１２１が適正な倍率を算出し、スキャナ１１で読取られた画像データがその倍率で処理される。そして、ステップＳ６において、レイアウト処理部１７で決定したレイアウトと原稿向き検出部１１３で検出した原稿の向きに基づいて、向きデータ算出回路１２２が画像データの回転方向と回転角度を算出する。図３の原稿３１の場合、左方向に９０°回転することで出力用紙の領域２１に複写されることとなり、この回転の向きと回転角度に基づいて画像データの回転が行われる。
【００２７】
このようにして、画像データ処理部１２で処理された画像データは、次のステップＳ７において記憶部１３に記憶される。その記憶状態は、図３で示すように１枚目の原稿３１の画像データが、Ａ４→Ａ５に縮小され、且つ９０度回転されて出力用紙２０の領域２１に相当するメモリ領域に記憶される。
【００２８】
次いで、ステップＳ８で複写装置１０は原稿の終了かを判断する。ステップＳ１で設定した複写枚数分の原稿の読取りが終了していなければ、ステップＳ４に戻り、n枚目の原稿がセットされ、ステップＳ４〜ステップＳ８までの処理を繰り返す。例えば、ステップＳ４で2枚目のサイズＡ４の原稿３２をスキャナ１１にセットする。この後のステップＳ５〜ステップＳ７の手順は先に説明した１枚目の原稿３１の場合と同様である。
【００２９】
ステップＳ８において原稿が終了していなければ、同様にステップＳ４に戻り、３枚目のサイズＢ５の原稿３３をスキャナ１１で読取るためにセットすると、原稿３３のサイズＢ５が検出されて画像データ処理部１２に送出される。そして、ステップＳ５で示すように、レイアウト処理部１７で決定したレイアウトと原稿３３のサイズに基づいて、演算回路１２１が適正な倍率を算出し、スキャナ１１で読取られた画像データがその倍率で処理される。そして、ステップＳ６において、レイアウト処理部１７で決定したレイアウトと原稿向き検出部１１３で検出した原稿の向きに基づいて、向きデータ算出回路１２２が画像データの回転方向と回転角度を算出する。図３の原稿３３の場合、左方向に９０°回転することで出力用紙の領域２３に複写されることとなり、この回転の向きと回転角度に基づいて画像データの回転が行われる。
【００３０】
このようにして、画像データ処理部１２で処理された画像データは、次のステップＳ７において記憶部１３に記憶される。その記憶状態は、図３で示すように３枚目の原稿３３の画像データが、Ｂ５→Ａ５に縮小され、且つ９０度回転されて出力用紙２０の領域２３に相当するメモリ領域に記憶される。
【００３１】
同様にして４枚目の原稿の読取りと画像データ処理が行われ、１枚の出力用紙に複写する４枚の原稿の画像データが記憶部１３に記憶され、図３で示すように４枚の原稿３１〜３４の画像データが出力用紙２０の領域２１〜２４に相当するメモリ領域に記憶される。ステップＳ８で原稿の終了（１枚の出力用紙に複写する原稿枚数分の読取りが終了）すると、複写装置１０はステップＳ９で示すように記憶部１３に記憶されている画像データを読出され、この画像データが複写部１４に送られて指定されたサイズの出力用紙２０に複写される。すなわち、４枚の原稿３１〜３４が１枚の出力用紙２０に集約して複写される。
【００３２】
従って、本発明の実施例の複写装置１０において、所望の系列から選択された出力用紙２０に集約して複写する原稿３１〜３４から読取られた画像データは、夫々独立に画像データ処理部１２の演算回路１２１により算出された縮小倍率で出力用紙２０上のレイアウトに基づいて用紙に収まる適正な大きさに変換され、向きデータ算出回路１２２により所定の向きに設定される。そして、この画像データ処理部１２で処理された画像データは記憶部１３において出力用紙２０上の領域（レイアウト領域）に対応するメモリ領域２１〜２４に記憶される。
【００３３】
そのため、系列を異にしてサイズを異にする原稿であっても原稿３１〜３４毎に適正な変換倍率で複写することができる。例えば、出力用紙２０がＡ系列のものであって、原稿３１〜３４にＢ系列が混在している場合であってもＢ系列からＡ系列への縮小変換が行われ、画像データが同一の大きさに揃って複写される。
【００３４】
なお、上述した本発明の実施例にあっては、原稿を縮小して集約する場合について説明したが、本発明は、サイズの小さな原稿を拡大して大きなサイズの出力用紙に集約して複写する場合にも適用できることは勿論である。
【図面の簡単な説明】
【００３５】
【図１】本発明の実施例における複写装置のブロック図である。
【図２】図1における複写装置の要部の詳細を示すブロック図である。
【図３】本発明の実施例における出力用紙上のレイアウトと原稿の関係を示す模式図である。
【図４】本発明の実施例における動作手順を示すフローチャートである。
【符号の説明】
【００３６】
１０          複写装置
１１          スキャナ
１２          画像データ処理部
１３          記憶部      
１４          複写部
１５          操作部
１６          シリアルＩ／Ｏ
２０          出力用紙
２１〜２４    領域（レイアウト領域）
３１〜３４    原稿
１１１        原稿読取り部
１１２        原稿サイズ検出部
１１３        原稿向き検出部
１２１        演算回路
１２２        向きデータ算出回路
【図１】
2005244899.tif 000003
【図２】
2005244899.tif 000004
【図３】
2005244899.tif 000005
【図４】
2005244899.tif 000006